(57)【要約】【課題】本発明は、電熱ヒータの発熱による水溜部の熱損傷防止を図ることを課題とする。【解決手段】前記課題を達成するため、本発明は、温度スイッチ類が底部にあると残水等の影響により電熱ヒータの熱が伝導されにくくなるので影響の無い、上向側辺部に設けられた封止側面板にヒータ支持部材を固定し、このヒータ支持部材と防熱樋内に底から上側に離間して設ける電熱ヒータを連結し、電熱ヒータから伝わる温度を検知して電熱ヒータの通電を制御したことを特徴とする。【選択図】図４
2007185208.tif 000002
【特許請求の範囲】
【請求項１】
洗浄槽と、この洗浄槽の下側に設けられる合成樹脂で作られた洗浄槽ベースと、この洗浄槽ベースに回転自在に備えられ、かつ前記洗浄槽内に洗浄水を噴射する回転噴射ノズルと、この回転噴射ノズルに洗浄水を加圧供給する洗浄ポンプと、前記洗浄槽ベースの下方に下向に窪むように形成される水溜部と、この水溜部内に嵌め込まれ、かつ水溜部の内底面と内側面と接触するように置かれるステンレスを含む鋼板の上向側辺部に設けられた封止側面板にヒータ支持部材を固定し、このヒータ支持部材と防熱樋内に底から上側に離間して設ける電熱ヒータを連結し、電熱ヒータから伝わる温度を検知して電熱ヒータの通電を制御する側面部用温度スイッチを封止側面板に設けたことを特徴とする食器洗浄機。
【請求項２】
請求項１記載の食器洗浄機において、電熱ヒータの熱を伝えるヒータ支持部材は、上向側辺部に設けられた封止側面板に固定され、電熱ヒータが上方から挿入して固定できるように上を凹にしたことを特徴とする食器洗浄機。
【請求項３】
請求項１及び２記載の食器洗浄機において、ヒータ支持部材は水溜部の底部より上に位置させたことを特徴とする食器洗浄機。
【発明の詳細な説明】
【技術分野】
【０００１】
本発明は、洗浄槽の下部に溜めた水を加熱して温水にし、この温水を用いて洗浄槽内に収容された食器類の洗浄を行う食器洗浄において、電熱ヒータの過熱保護に関する。
【背景技術】
【０００２】
この種の食器洗浄機は、洗浄槽と、この洗浄槽の下側に設けられた底部と、この底部に回転自在に備えられ、かつ前記洗浄槽内に洗浄水を噴射する回転噴射ノズルと、この回転噴射ノズルに洗浄水を加圧供給する洗浄ポンプと、前記洗浄槽の底部に落ち込むように形成される水溜部に電熱ヒータ、底部に温度ヒューズが備わる構成を有する。参考までに特許文献１を例示する。
【０００３】
【特許文献１】特開平６−３０４１１３号公報
【発明の開示】
【発明が解決しようとする課題】
【０００４】
上記電熱ヒータは洗浄水や乾燥空気の加熱時に通電されるが、誤動作等により水溜部が空のときに通電されると温度が異常に高くなるので、洗浄槽底部にサーモスタットや温度ヒューズの温度上昇防止手段を備えて温度上昇を抑えるようにしている。
【０００５】
しかし、電熱ヒータが洗浄水に半分程度浸かる（電熱ヒータの上面側だけが洗浄水に浸からない状態）ときに誤動作による通電が起きても、水溜部の底部は温度が異常に高くならない。このため、水溜部の底部に備わる温度上昇防止手段が作動しないので、電熱ヒータの上側になる水溜部の上部は電熱ヒータの上半分の発熱を受けて異常に高い温度になり、合成樹脂で作られている水溜部を傷める。
【０００６】
本発明は、上記の問題に鑑み、電熱ヒータの発熱による水溜部の熱損傷防止を図ることを目的とする。
【課題を解決するための手段】
【０００７】
本発明は、温度スイッチ類が底部にあると残水等の影響により電熱ヒータの熱が伝導されにくくなるので影響の無い、上向側辺部に設けられた封止側面板にヒータ支持部材を固定し、このヒータ支持部材と防熱樋内に底から上側に離間して設ける電熱ヒータを連結し、電熱ヒータから伝わる温度を検知して電熱ヒータの通電を制御したことを特徴とする。
【発明の効果】
【０００８】
本発明によれば、電熱ヒータの熱を伝導する部分が残水と接触しないので確実に電熱ヒータの熱を温度ヒューズに伝導できるので、水溜部の熱損傷防止が図られる。
【発明を実施するための最良の形態】
【０００９】
本発明の実施形態について実施形態に係わる実施例を引用して説明する。
【００１０】
図１から図５に沿って食器洗浄機の構造から述べる。
【００１１】
食器洗浄機の外枠１内には、洗浄槽が備わる。洗浄槽は、上部の洗浄槽２と下部の洗浄槽ベース３を有する。上部の洗浄槽２と下部の洗浄槽ベース３は合成樹脂で形成され、上部の洗浄槽２の内面には、ステンレスの薄い鋼板が貼り付けるように設けられている。上部の洗浄槽２の下端と、下部の洗浄槽ベース３の上端を結合して洗浄槽は形成される。洗浄槽は前面に開口部を有し、この開口部を開／閉する上下扉（図示せず）が備わる。洗浄槽ベース３には、回転噴射ノズル４が備わる。回転噴射ノズル４は、回転しながら洗浄槽内に洗浄水を噴射して食器かごに収まる食器類の洗浄を行う。洗浄ポンプ（図示せず）は、洗浄槽ベース３の下方に置かれ、回転噴射ノズル４に洗浄水を加圧供給する。水溜部５は、洗浄槽ベース３に下向に窪むように形成される。水溜部５は、洗浄槽ベース３の手前側から左側に亘って窪みになっている。この水溜部５は、回転噴射ノズル４が設けられるところよりも低く、洗浄水が集まって溜まる。手前側の水溜部５には、ステンレスの鋼板で作られた防熱樋６が嵌め込まれる。防熱樋６は底部が水溜部５の内底面に、上向きと延在する上向側辺部１０が水溜部５の内側面と接触するように置かれる。防熱樋６は長手方向両端が開口になっている。また防熱樋６の左側の水溜部５に臨むところも開口になっている。電熱ヒータ７は、防熱樋６に内置される。電熱ヒータ７は、シーズヒータで形成され、折り返して這うような形状を有する。電熱ヒータ７の引出し端子８は、断熱部材９を介して水溜部５の外部に引き出される。ヒータ支持部材２０は、電熱ヒータ７が防熱樋６に底から上側に離間して置かれるように支持する。ステンレス等の熱伝導性の良い金属材料で作られたヒータ支持部材２０は上向側辺部１０の位置に封止側面板２１に溶接で固定される。ヒータ支持部材２０は時間のかかる各種温度スイッチのシリコーンゴムによる接着作業のため組立て作業上先に部組まれるので電熱ヒータ１０が後から取付け固定できるように上側を凹にした形状として組立てができるようにしている。封止側面板２１は水封のためОリング９０を介してネジ２２により複数個所固定されている。
【００１２】
側面部用温度ヒューズ１１、側面部用サーモスイッチ１２を含む側面部用温度スイッチ９１は、上向側辺部１０の封止側面板２１でヒータ支持部材２０が固定された裏面側位置に設けられる。
【００１３】
側面部用温度スイッチ９１が上向側辺部１０の封止側面板２１に設けられるので、ここに対向する水溜部５の部位には切欠き穴（図示せず）を形成する。この切欠き穴を設けることで、ヒータ支持部材２０は上向側辺部１０の封止側面板２１に接合できる。
【００１４】
封止側面板２１の下端は残水に接触すると電熱ヒータ７の温度が残水に奪われるため側面部用温度スイッチ９１の取付け部の温度が上がらなくなるので残水面より上としている。
【００１５】
側面部用温度スイッチ９1は、シリコーンゴムを介在することにより封止側面板２１との接合に隙間がなくなり、熱伝導性が良くなる。電熱ヒータ７の発熱は、図４に示すようにヒータ支持部材２０を介して側面部用温度スイッチ９1に良く伝わる。
【００１６】
側面用サーモスイッチ１２を含む側面部用温度スイッチ９1は、図４に示すように水溜部の上部外側面に設けられる。側面部用温度スイッチ９1の設けられる位置（上部外側面）は、電熱ヒータ７と同位置か上方になる。
【００１７】
防熱カバー２４が電熱ヒータ７を覆うように防熱樋６に被せられる。防熱カバー２４はステンレス等の鋼板で作られ、天板になる上面部には通水／通気用の孔２５が数多く設けられる。孔２５の数は、防熱カバー２４の長手方向両端側では中央部よりも多く形成される。
【００１８】
防熱カバー２４の両側には、下向きに延在する下向側辺部２６が防熱カバー２４の長手方向に沿う形成される。下向側辺部２６は、水溜部５の内側面と接触するように置かれ、かつ下向側辺部２６の下端側は、防熱樋６の上向側辺部１０の上端側とが横並びに重なる。こうして、防熱樋６と防熱カバー２４は、電熱ヒータ７を周りから被い、電熱ヒータ７が放つ輻射熱を遮って合成樹脂で形成された水溜部５を輻射熱から保護する。
【００１９】
しかし、水溜部５に水がなく、送風も止まる誤動作時には、電熱ヒータ７の発熱が防熱樋６ないし防熱カバー２４を介して水溜部５の内底面および内側面に伝わり、水溜部５に熱損傷を与える。水溜部５が、このような高温になる前に、側面部用サーモスイッチ１２がオンーオフ作動し電熱ヒータ７の温度を安全な温度に保つ。また、電熱ヒータ７が連続通電時は側面部用温度ヒューズ１１が動作して電熱ヒータ７の通電を止め、水溜部５の熱損傷が保護されるようになっている。
【００２０】
前述した防熱カバー２４の孔２５は、電熱ヒータ７の発熱で生ずる熱気の対流が通過上昇する孔である。この孔２５は、防熱カバー２４の長手方向両端側の方が中央部よりも多く形成されているので、通過上昇する熱気の温度は、防熱カバー２４の全域に平均化され、極端に高温の熱気が偏って生じない。このため、防熱カバー２４の上側に存在する回転噴射ノズル４に熱損傷を与えない。
【００２１】
なお、防熱樋６は長手方向両端が開口になっている。また防熱樋６の左側の水溜部５に臨むところも開口になっている。この開口により、防熱樋６の長手方向両端は、空気が入り易く、中央部よりも孔の数を多くすることで、熱気の温度の偏りを抑えることができる。
【００２２】
送風噴出部２７は、図２、図３に示すように防熱カバー２４の左上側付近の洗浄槽ベース３に設けられる。送風機より送られる温風や冷風が送風噴出部２７から洗浄槽内に噴出され、食器類の乾燥をして図１に示す上部の洗浄槽２に設けられた排気口２８から食器洗浄機の外に排気される。
【００２３】
操作パネル２９は、図１、図５に示すように各種の押しボタンが備わる。この押しボタンを操作して各種コースの設定や運転を行わせる。また、各種コースの設定を示す設定表示や運転状態を示す運転表示が操作パネル２９で行われる。
【００２４】
食器洗浄機の制御回路について図６に沿って説明する。
【００２５】
制御回路は、マイクロコンピュータ４０を中心に構成される。商用電源４１、コンセント４２、直流電源回路４３を有し、この直流電源回路４３で、生成された直流がマイクロコンピュータ４０に給電される。
【００２６】
マイクロコンピュータ４０には、サーミスタ４４、ノズル切り替えスイッチ４５、溢水用水位センサ４６、水位センサ４７が接続され、それぞれの感知／検知信号がマイクロコンピュータ４０に読み込まれる。サーミスタ４４は、側面部用温度スイッチと同様、上向側辺部１０の封止側面板２１に接合するように設けられる。各種の駆動回路は、商用電源４１側に接続され、マイクロコンピュータ４０の駆動指示に応じて駆動制御が行われる。
【００２７】
電熱ヒータ７は、側面部用温度ヒューズ１１、側面部用サーモスイッチ１２、およびヒータ用リレー６０の開閉接点６２を介して商用電源４１に接続される。給水弁６３は、給水弁用リレー６４の開閉接点６５を介して商用電源４１に接続される。排水ポンプを兼ねた洗浄ポンプのポンプモータ６６は、洗浄用リレー６７の開閉接点６８を介して商用電源４１に接続される。またポンプモータ６６は、排水用リレー６９の開閉接点７０を介して商用電源４１に接続される。
【００２８】
送風用ファンのモータ８０は、送風用リレー８１の開閉接点８２、トランス８３を介して商用電源４１に接続される。ノズル切換用モータ８４は、ノズル切換用リレー８５の開閉接点８６を介して商用電源  電熱ヒータ７の通電は、ヒータ用リレー６０のコイルが励磁され、開閉接点６２が閉じて行われる。
【００２９】
給水弁６３の開放は、給水弁用リレー６４のコイルが励磁され、開閉接点６５が閉じて行われる。
【００３０】
ポンプモータ６６の運転は、洗浄用リレー６７または排水用リレー６９のコイルが励磁され、開閉接点６８または７０が閉じて行われる。
【００３１】
送風用ファンのモータ８０の運転は、送風用リレー８１のコイルが励磁され、開閉接点８２が閉じて行われる。
【００３２】
ノズル切換用モータ８４の運転は、ノズル切換用リレー８５のコイルが励磁され、開閉接点８６が閉じて行われる。
【００３３】
食器洗浄機の運転は、図７に示すフローに沿って実行される。このフローは、通常運転の流れである。
【００３４】
操作パネル２９のスタート押しボタンが押されると、食器洗浄機の運転が開始する。
【００３５】
残水の排水が行われてから給水に移行する。給水容量の検知が行われ、所定容量になった加熱洗浄が実行される。加熱洗浄が終わったら排水、給水が行われ、すすぎ１が行われる。再度、排水、給水が行われ、すすぎ２が実行される。再び、排水、給水が行われ、温水すすぎの後、排水、温風乾燥、冷風乾燥を経て全ての洗浄乾燥の運転が終了する。
【００３６】
斯かる洗浄乾燥の運転で、側面部用温度スイッチの作動について図８を加えて説明する。
【００３７】
図８は、水溜部５に洗浄水がなく、送風用ファンの運転も行われなく電熱ヒータ７が誤動作で連続通電時のときの、電熱ヒータ７の表面温度と側面部用サーモスイッチ１２の取付け部との温度推移を各々曲線７及び曲線１２に示している。曲線１２ａは底部の位置にサーモスイッチがついて残水があるときの取付け部の温度推移を示す。これをみると残水があるときは電熱ヒータ７の熱がヒータ支持部材２０を通過してサーモスイッチに到るが残水の蒸発のため、熱が奪われ温度が上がらないので電熱ヒータ７の温度が上昇しても残水がなくなるまでサーモスイッチの取付け部の温度は上がらないので動作せず合成樹脂で作られた水溜部５を熱損傷させる。これに対して上向側辺部１０の封止側面板２１にヒータ支持部材２０が固定された本実施例ではヒータ支持部材２０が直接残水と接触しないので曲線１２と同じ特性となる。すなわち、本実施例での運転では、電熱ヒータ７の表面温度が異常に高い高温になる前に側面部用サーモスイッチ１２が動作する。
【００３８】
定常の運転では、サーミスタ４４の温度検知で洗浄乾燥の運転が実行され、側面部用サーモスイッチ１２、側面部用温度ヒューズ１１の作動は、生じない。
【００３９】
本実施例では側面部用サーモスイッチ１２のオフ温度は、９１℃程度である。側面部用サーモスイッチ１２のオフ温度は、８５℃に設定されているが、ヒステリシス分の遅れにより９１℃程度になるのである。
【００４０】
側面部用サーモスイッチ１２のオフで、電熱ヒータ７の通電が止み、電熱ヒータ７の温度降下で、側面部用サーモスイッチ１２が６５℃を下回ると、側面部用サーモスイッチ１２はオンして電熱ヒータ７の温度上昇は再び行われる。
【００４１】
マイクロコンピュータ４０の誤作動等が解消されていなければ、電熱ヒータ７が７００℃に達するあたりで、側面部用サーモスイッチ１２がオフする。この側面部用サーモスイッチ１２のオン／オフにより、水溜部５の内底面および内側面は９１℃よりも高くならないので、合成樹脂で作られた水溜部５の熱損傷が抑えられる。
【００４２】
また、側面部用温度ヒューズ１１は、溶断作動温度が９１℃よりも高い温度に設定されているので、側面部用サーモスイッチ１２が正常に作動するときには溶断作動しない。
【００４３】
このように、側面用サーモスイッチ１２のオン／オフの作動により、水溜部５の上半分が９１℃を越える高い温度にならなく、合成樹脂で作られた水溜部５の熱損傷は抑えられる。
【００４４】
なお、従来は残水による各種温度スイッチの取付け部の温度が影響を受けるため、電熱ヒータ７は周囲の樹脂部が変形の無いようにオンーオフ制御としているが本実施例では、残水の影響を受けないので初期に連続通電ができスチームを発生させる機構を電熱ヒータ７で行う場合は電熱ヒータ７の通電オン時間を連続でできるので発生効率をよくできる。また、乾燥時も同じくヒータを連続運転できるので乾燥時の熱エネルギーを多く引き出すことができる。
【図面の簡単な説明】
【００４５】
【図１】本発明の実施形態に係わる実施例を示すもので、上／下扉が外された食器洗浄機を前側から見た斜視図。
【図２】本発明の実施形態に係わる実施例を示すもので、洗浄槽ベースを上から見た斜視図。
【図３】本発明の実施形態に係わる実施例を示すもので、洗浄槽ベース（防熱カバーは一部欠除）を上から見た斜視図。
【図４】本発明の実施形態に係わる実施例を示すもので、図２のＡ―Ａの部分断面図。
【図５】本発明の実施形態に係わる実施例を示すもので、操作パネルを示す図。
【図６】本発明の実施形態に係わる実施例を示すもので、食器洗浄機の制御回路を示す図。
【図７】本発明の実施形態に係わる実施例を示すもので、食器洗浄機の運転のフローを示す図。
【図８】本発明の実施形態に係わる実施例を示すもので、電熱ヒータ表面とサーモスタット取付け部の温度推移関係を示す図。
【符号の説明】
【００４６】
２…上部の洗浄槽、３…洗浄槽ベース、４…回転噴射ノズル、５…水溜部、６…防熱樋、７…電熱ヒータ、１０…上向側辺部、２０…ヒータ支持部材、２１…封止側面板、９１…側面部用温度スイッチ。
【図１】
2007185208.tif 000003
【図２】
2007185208.tif 000004
【図３】
2007185208.tif 000005
【図４】
2007185208.tif 000006
【図５】
2007185208.tif 000007
【図６】
2007185208.tif 000008
【図７】
2007185208.tif 000009
【図８】
2007185208.tif 000010